(57)【特許請求の範囲】
【請求項１】
加湿容器の水位を水位検出センサで検出することによって、小容量ポンプ及び加湿ヒータを制御する環境試験器の加湿回路制御装置であって、
前記小容量ポンプは、間欠駆動及び連続駆動の自動切りかえ機能を有してなり、
湿度通常運転時に、前記水位検出センサで前記加湿容器の水位を検出しながら、前記加湿容器の水位が基準水位を下回った場合に、前記小容量ポンプを間欠駆動とし、一定時間経過しても前記加湿容器の水位が基準水位に復帰しない場合に、前記小容量ポンプを連続駆動に切りかえる水供給手段と、
湿度通常運転時に、前記加湿ヒータを通電した状態とし、一定時間経過しても前記加湿容器の水位が基準水位に復帰しない場合に、前記水位検出センサで検出した前記加湿容器の水位が基準水位に復帰するまで前記加湿ヒータへの通電を停止する加湿ヒータ制御手段と、を備えることを特徴とする環境試験器の加湿回路制御装置。
【請求項２】
加湿容器の水位を水位検出センサで検出することによって、小容量ポンプ及び加湿ヒータを制御する環境試験器の加湿回路制御方法であって、
前記小容量ポンプは、間欠駆動及び連続駆動の自動切りかえ機能を有してなり、
湿度通常運転時に、前記水位検出センサで前記加湿容器の水位を検出しながら、前記加湿容器の水位が基準水位を下回った場合に、前記小容量ポンプを間欠駆動とし、前記加湿ヒータを通電した状態とし、
一定時間経過しても前記加湿容器の水位が基準水位に復帰しない場合に、前記小容量ポンプを連続駆動に切りかえ、前記水位検出センサで検出した前記加湿容器の水位が基準水位に復帰するまで前記加湿ヒータへの通電を停止して加湿回路の制御を行なうことを特徴とする環境試験器の加湿回路制御方法。
【請求項３】
加湿容器の水位を水位検出センサで検出することによって、小容量ポンプ及び加湿ヒータを制御する環境試験器の加湿回路制御装置であって、
前記小容量ポンプは、間欠駆動及び連続駆動の自動切りかえ機能を有してなり、
加湿容器初期給水時に、前記水位検出センサで前記加湿容器の水位を検出しながら前記小容量ポンプを連続駆動とし、前記加湿容器の水位が基準水位に復帰すると、前記小容量ポンプを間欠駆動に切りかえる水供給手段と、
加湿容器初期給水運転時に、前記加湿ヒータへの通電を停止し、前記加湿容器の水位が基準水位に復帰すると、前記加湿ヒータへの通電を開始する加湿ヒータ制御手段と、を備えることを特徴とする環境試験器の加湿回路制御装置。
【請求項４】
加湿容器の水位を水位検出センサで検出することによって、小容量ポンプ及び加湿ヒータを制御する環境試験器の加湿回路制御方法であって、
前記小容量ポンプは、間欠駆動及び連続駆動の自動切りかえ機能を有してなり、
加湿容器初期給水運転時に、前記水位検出センサで前記加湿容器の水位を検出しながら前記小容量ポンプを連続駆動とし、前記加湿ヒータへの通電を停止し、前記加湿容器の水位が基準水位に復帰すると、前記加湿ヒータへの通電を開始し、再度前記加湿容器の水位が基準水位を下回ると、前記小容量ポンプを間欠駆動に切りかえ、前記加湿ヒータへの通電を継続することを特徴とする環境試験器の加湿回路制御方法。
【請求項５】
前記小容量ポンプが電磁ポンプであることを特徴とする請求項１または３に記載の環境試験器の加湿回路制御装置。
【請求項６】
前記小容量ポンプが電磁ポンプであることを特徴とする請求項２または４に記載の環境試験器の加湿回路制御方法。
【発明の詳細な説明】
【０００１】
【発明の属する技術分野】
本発明は、試験室内湿度調整機能を有する環境試験器の加湿回路制御装置及びその加湿回路制御方法に関し、特に加湿容器の水位を水位検出センサで検出することによって、小容量ポンプ及び加湿ヒータを制御する環境試験器の加湿回路制御装置およびその加湿回路制御方法に関する。
【０００２】
【従来の技術】
蒸気加湿方式を採用している環境試験器の場合、蒸気を発生する加湿容器の水位は加湿中継続的に低下する。このため、加湿容器中の水位が基準水位を下回ると外部から加湿水を供給することにより、加湿容器内の基準水位を復帰させるような装置を用いることにより制御している。この場合、外部から給水された加湿水により加湿容器内の水温が一時的に低下する。このため、試験室内温度の制御に必要な蒸発量が得られなくなり、試験室内の湿度乱れの原因となる。また、発生した蒸気が顕熱にも作用している場合は、試験室内の温度乱れも併発する。
【０００３】
従来から、加湿器への給水に基づく温度制御の乱れが生じることを防止するため、特開平１０−３００１７３により、電磁開閉弁もしくは流量制御弁である給水手段により加湿水を間欠的に給水させる恒温恒湿空気供給装置の運転方法が開示されている。
【０００４】
更に、単位時間の給水量を少なくした場合、加湿ヒータ通電遅延時間をより長くする必要があるため、湿度制御開始をより遅らせることとなり、また、給水配管のつまり等により、給水水圧の異常低下により加湿容器の水位が復帰しない場合は、加湿容器の水位は継続的に低下し、空焚きによる加湿ヒータ劣化の危険性がある。
【０００５】
また、従来から、通常環境試験器において、加湿運転を開始した際、加湿容器の水位が基準水位に達するまで蒸気発生器（加湿ヒータ）が空焚きすることを防ぐために、一定時間（加湿ヒータ通電遅延時間）加湿ヒータへの通電を停止している。この加湿ヒータ通電遅延時間は実験により加湿容器の水位が基準水位に復帰するのに想定される最大の時間を割り出し、それにいくらかの余裕をもって一義的に決められている。
【０００６】
しかし、加湿運転開始時の加湿容器の水位、及び電圧や周波数等の周囲の環境によっては、加湿ヒータ通電遅延時間は過多もしくは過少となり、湿度制御開始が必要以上に遅れるか、もしくは加湿容器の水位が基準水位に復帰するまで加湿ヒータの空焚きが生じるという問題がある。
【０００７】
【発明の解決しようとする課題】
本発明は上記の点に鑑みてされたものであり、加湿容器の初期給水運転時には、加湿容器内の加湿水の残量により湿度制御を開始するまでの待ち時間（加湿ヒータ通電遅延時間）を自動可変し、常に最適な待ち時間を設定することができる環境試験器の加湿回路制御装置及びその加湿回路制御方法を提供することを目的とするものである。また、加湿容器の湿度通常運転時に加湿容器の水位が基準水位を下回った場合、小容量ポンプを間欠駆動し、水温を一定に保ちつつ、また温湿度の変動なく水位を復帰し、一定時間経過しても加湿容器の水位が基準水位に復帰しない場合は基準水位に復帰するまで加湿ヒータへの通電を停止し小容量ポンプを連続駆動に切りかえることができ、加湿ヒータの空焚きを防止することが可能である環境試験器の加湿回路制御装置及びその加湿回路制御方法を提供することを目的とするものである。
【０００８】
【課題を解決するための手段】
前記課題を解決するために本発明の請求項１に記載の環境試験器の加湿回路制御装置は、加湿容器の水位を水位検出センサで検出することによって、小容量ポンプ及び加湿ヒータを制御する環境試験器の加湿回路制御装置であって、前記小容量ポンプは、間欠駆動及び連続駆動の自動切りかえ機能を有してなり、湿度通常運転時に、前記水位検出センサで前記加湿容器の水位を検出しながら、前記加湿容器の水位が基準水位を下回った場合に、前記小容量ポンプを間欠駆動とし、一定時間経過しても前記加湿容器の水位が基準水位に復帰しない場合に、前記小容量ポンプを連続駆動に切りかえる水供給手段と、湿度通常運転時に、前記加湿ヒータを通電した状態とし、一定時間経過しても前記加湿容器の水位が基準水位に復帰しない場合に、前記水位検出センサで検出した前記加湿容器の水位が基準水位に復帰するまで前記加湿ヒータへの通電を停止する加湿ヒータ制御手段と、を備えることを特徴とする。
【０００９】
この請求項１に記載の構成によると、加湿容器への給水により湿度変動及び温度変動の乱れを懸念する必要がない場合、小容量ポンプの連続駆動により加湿容器の水位復帰を迅速に完了することができ、また加湿ヒータへの通電を停止することで、空焚きによる加湿ヒータの劣化を防ぐことができる。また、加湿容器への給水により、湿度変動及び温度変動を懸念する必要がある場合、小容量ポンプを間欠駆動することにより、加湿容器の温度を一定に保ちつつ給水するため、湿度変動及び温度変動を引き起こさず給水完了することができる。
【００１０】
請求項２に記載の環境試験器の加湿回路制御方法は、加湿容器の水位を水位検出センサで検出することによって、小容量ポンプ及び加湿ヒータを制御する環境試験器の加湿回路制御方法であって、前記小容量ポンプは、間欠駆動及び連続駆動の自動切りかえ機能を有してなり、湿度通常運転時に、前記水位検出センサで前記加湿容器の水位を検出しながら、前記加湿容器の水位が基準水位を下回った場合に、前記小容量ポンプを間欠駆動とし、前記加湿ヒータを通電した状態とし、一定時間経過しても前記加湿容器の水位が基準水位に復帰しない場合に、前記小容量ポンプを連続駆動に切りかえ、前記水位検出センサで検出した前記加湿容器の水位が基準水位に復帰するまで前記加湿ヒータへの通電を停止して加湿回路の制御を行なうことを特徴とする。
【００１１】
この請求項２に記載の構成によると、加湿容器への給水により湿度変動及び温度変動の乱れを懸念する必要がない場合、小容量ポンプの連続駆動により加湿容器の水位復帰を迅速に完了することができ、また加湿ヒータへの通電を停止することで、空焚きによる加湿ヒータの劣化を防ぐことができる。また、加湿容器への給水により、湿度変動及び温度変動を懸念する必要がある場合、小容量ポンプを間欠駆動することにより、加湿容器の温度を一定に保ちつつ給水するため、湿度変動及び温度変動を引き起こさず給水完了することができる。
【００１２】
請求項３に記載の環境試験器の加湿回路制御装置は、加湿容器の水位を水位検出センサで検出することによって、小容量ポンプ及び加湿ヒータを制御する環境試験器の加湿回路制御装置であって、前記小容量ポンプは、間欠駆動及び連続駆動の自動切りかえ機能を有してなり、加湿容器初期給水時に、前記水位検出センサで前記加湿容器の水位を検出しながら前記小容量ポンプを連続駆動とし、前記加湿容器の水位が基準水位に復帰すると、前記小容量ポンプを間欠駆動に切りかえる水供給手段と、加湿容器初期給水運転時に、前記加湿ヒータへの通電を停止し、前記加湿容器の水位が基準水位に復帰すると、前記加湿ヒータへの通電を開始する加湿ヒータ制御手段と、を備えることを特徴とする。
【００１３】
この請求項３の構成によると、加湿容器内の加湿水の残量により湿度制御開始までの待ち時間（加湿ヒータ通電遅延時間）を設定できるようになる。したがって、加湿ヒータ通電遅延時間の過多による湿度制御開始の必要以上の遅れ、もしくは加湿ヒータ通電遅延時間の過少による加湿容器の水位が基準水位に達するまでの間の加湿ヒータ空焚きを防止することができる。
【００１４】
請求項４に記載の環境試験器の加湿回路制御方法は、加湿容器の水位を水位検出センサで検出することによって、小容量ポンプ及び加湿ヒータを制御する環境試験器の加湿回路制御方法であって、前記小容量ポンプは、間欠駆動及び連続駆動の自動切りかえ機能を有してなり、加湿容器初期給水運転時に、前記水位検出センサで前記加湿容器の水位を検出しながら前記小容量ポンプを連続駆動とし、前記加湿ヒータへの通電を停止し、前記加湿容器の水位が基準水位に復帰すると、前記加湿ヒータへの通電を開始し、再度前記加湿容器の水位が基準水位を下回ると、前記小容量ポンプを間欠駆動に切りかえ、前記加湿ヒータへの通電を継続することを特徴とする。
【００１５】
この請求項４の構成によると、加湿容器内の加湿水の残量により湿度制御開始までの待ち時間（加湿ヒータ通電遅延時間）を設定できるようになる。したがって、加湿ヒータ通電遅延時間の過多による湿度制御開始の必要以上の遅れ、もしくは加湿ヒータ通電遅延時間の過少による加湿容器の水位が基準水位に達するまでの間の加湿ヒータ空焚きを防止することができる。また、加湿容器への給水により、湿度変動及び温度変動を懸念する必要がある場合、小容量ポンプを間欠駆動することにより、加湿容器の温度を一定に保ちつつ給水するため、湿度変動及び温度変動を引き起こさず給水完了することができる。
【００１６】
請求項５に記載の環境試験器の加湿回路制御装置は、請求項１または３に記載の環境試験器の加湿回路制御装置であって、前記小容量ポンプが電磁ポンプであることを特徴とする。
【００１７】
この請求項５の構成によると、小容量ポンプとして電磁ポンプを用いるため、一定間隔で、電磁ポンプのシリンダにより定められる一定の小容量の加湿水を供給することができる。また、電磁ポンプのＯＮ／ＯＦＦ周期を変えることで、単位時間あたりの加湿水流量を自由に調整することができる。さらに、電磁ポンプにより供給する単位時間あたりの加湿容器給水量は、加湿容器の単位時間あたりの最大蒸発量を上回るように制御しているため、間欠給水の制御を容易にすることができる。
【００１８】
請求項６に記載の環境試験器の加湿回路制御方法は、請求項２または４に記載の環境試験器の加湿回路制御方法であって、前記小容量ポンプが電磁ポンプであることを特徴とする。
【００１９】
この請求項６の構成によると、小容量ポンプとして電磁ポンプを用いるため、一定間隔で、電磁ポンプのシリンダにより定められる一定の小容量の加湿水を供給することができる。また、電磁ポンプのＯＮ／ＯＦＦ周期を変えることで、単位時間あたりの加湿水流量を自由に調整することができる。さらに、電磁ポンプにより供給する単位時間あたりの加湿容器給水量は、加湿容器の単位時間あたりの最大蒸発量を上回るように制御しているため、間欠給水の制御を容易にすることができる。
【００２０】
【発明の実施の形態】
以下、図面を参照しつつ本発明に係る環境試験器の加湿回路制御装置の一実施形態例について説明する。
【００２１】
図１は、本発明に係る環境試験器の加湿回路制御装置の一例を示したものであり、環境試験器及びその加湿回路制御装置の概略図である。図２は、本発明に係る環境試験器の加湿回路制御装置で用いられる小容量ポンプの一例を示したものであり、電磁ポンプの縦断面図である。
【００２２】
図１に示すように、環境試験器１は、試験室１ａと、空気流路１ｂとから構成されている。試験室１ａは、試料を収容して環境試験が行われる空間であり、恒温恒湿であることが要求される。また、空気流路１ｂは、断熱壁によって形成された角筒状であり、試験室１ａとの間に二箇所の開口が設けてある。空気流路１ｂは、送風機２と、空気加熱ヒータ３と、除湿冷却器４と、加湿器５とを有している。空気流路１ｂの一方の開口には送風機２が装着されており、空気流路１ｂの他方の開口から流入空気が空気流路１ｂを流れて、送風機２から吸い込まれて試験室１ａに恒温恒湿空気として供給される。
【００２３】
空気加熱ヒータ３は、ファン付シーズヒータなどの電熱ヒータからなっており、設定温度および設定湿度との偏差を検出して図示しない制御手段によりフィードバック制御される。除湿冷却器４は、空気流路１ｂを横断して構成されており、図示されない制御手段により制御される。
【００２４】
加湿器５は、加湿容器５ａと、加湿ヒータ５ｂと、導入パイプ５ｃとを有している。加湿容器５ａは、空気流路１ｂの一方の開口に装着され、その上部空間が空気流路１ｂに開放されている。加湿ヒータ５ｂは、通電することにより加湿容器５ａ内に供給された加湿水から水蒸気を発生させる。導入パイプ５ｃは、加湿容器５ａの底部付近にあり、電磁ポンプ６ｂと連結して水タンク６ａから加湿水を供給する。電磁ポンプ６ｂは、間欠駆動及び連続駆動に切りかえが可能となっている。
【００２５】
加湿回路制御装置８は、水供給手段６と、加湿ヒータ制御手段７とを有している。水供給手段６は、加湿器５に取り付けられた水位検出センサ８ａによって検出した加湿容器５ａの水位（水位検出信号）により、電磁ポンプ６ｂの間欠駆動及び連続駆動の切りかえを制御する。加湿ヒータ制御手段７は、加湿器５に取り付けられた水位検出センサ８ａによって検出した加湿容器５ａの水位（水位検出信号）により、加湿ヒータの通電の開始及び停止の切りかえを制御する。
【００２６】
電磁ポンプ６ｂは、図２に示すように、コイル６ｅによる電磁力とスプリング６ｆによるスプリング力によってシリンダ６ｃ内をブランジャ６ｄが上下動し、下部より水タンク６ａの加湿水を吸引し、上部より加湿容器５ａに吐き出す。ブランジャ６ｄはシリンダ６ｃ内に上下二本のスプリング６ｆでバランス保持されており、このときは下部が水タンク６ａにつながる吸入弁６ｇと、上部が加湿容器５ａにつながる吐出弁６ｈとも閉状態である。コイル６ｅに通電されると、ブランジャ６ｄは電磁力によって引き上げられ、このときシリンダ６ｃ内のブランジャ６ｄ下側に水タンク６ａの加湿水が吸い上げられると同時にシリンダ６ｃ内のブランジャ６ｄ上側の加湿水は圧縮されて吐出弁６ｈを押し上げてポンプ６ｂから排出される。次に、コイル６ｅの通電が遮断されるとブランジャ６ｄはスプリング力によって元の位置に復帰する。このとき、シリンダ６ｃ内のブランジャ６ｄ上側はマイナス圧となるので吐出弁６ｈは閉じ、吸入弁６ｇが開いてブランジャ６ｄ下側の加湿水はブランジャ６ｄ上側に流れる。以上を繰り返すことで加湿水を水タンク６ａから吸入し、加湿容器５ａに吐出する。また、電磁ポンプ６ｂにより供給する単位時間あたりの加湿容器給水量は、加湿容器の単位時間あたりの最大蒸発量を上回るように制御する。
【００２７】
次に、本実施の形態に係る環境試験器１の加湿回路制御装置８の作用について図３に従って説明する。
【００２８】
まず、加湿運転開始時に、水位検出センサ８ａによって検出された加湿容器５ａの水位が基準水位を満足していない場合、これを加湿容器初期給水運転時と認識し、ステップＳ１において、加湿ヒータ制御手段７により、加湿容器５ａの水位が基準水位に復帰するまで（即ち、この時間が「加湿ヒータ通電遅延時間」となる。）、加湿ヒータ５ｂの通電を停止する。そして、ステップＳ２では、水供給手段６により電磁ポンプ６ｂを連続駆動させ、加湿容器５ａの水位を基準水位に復帰させる。
【００２９】
次に、ステップＳ３において、水位検出センサ８ａによって検出された加湿容器５ａの水位が基準水位に復帰したかどうか判断される。水位検出センサ８ａによって検出された加湿容器５ａの水位が基準水位に復帰していないと判断されると（ステップＳ３：ＮＯ）、ステップＳ２に戻り、引き続き電磁ポンプ６ｂを連続駆動させ、ステップＳ３で水位検出センサ８ａによって検出された加湿容器５ａの水位が基準水位に復帰したかどうか判断される。一方、水位検出センサ８ａによって検出された加湿容器５ａの水位が基準水位に復帰したと判断されると（ステップＳ３：ＹＥＳ）、湿度通常運転となり、ステップＳ４で、加湿運転を終了するまで加湿ヒータ制御手段７により加湿ヒータ５ｂの通電を開始する。
【００３０】
さらに、湿度通常運転の間に、ステップＳ５で、水位検出センサ８ａによって検出された加湿容器５ａの水位が基準水位を下回っているか判断される。水位検出センサ８ａによって検出された加湿容器５ａの水位が基準水位を下回っていないと判断されると（ステップＳ５：ＹＥＳ）、再度ステップＳ５に戻り、水位検出センサ８ａによって検出された加湿容器５ａの水位が基準水位を下回っているか判断される。一方、水位検出センサ８ａにより加湿容器５ａの水位が基準水位を下回ったと判断されると（ステップＳ５：ＮＯ）、ステップＳ６で水供給手段６により電磁ポンプ６ｂの運転を間欠駆動に切りかえる。なお、加湿ヒータ５ｂの通電は継続する。次に、ステップＳ７において、加湿容器５ａの水位が基準水位を下回ってから３０分以上経過しているかどうかが判断される。３０分以上経過していないと判断されると（ステップＳ７：ＮＯ）、ステップＳ６で電磁ポンプ６ｂの間欠駆動を継続し、試験室内湿度及び温度の乱れを伴うことなく、加湿容器５ａに給水する。
【００３１】
ただし、３０分経過しても加湿容器５ａの水位が基準水位に復帰していないと判断されると（ステップＳ７：ＹＥＳ）、加湿容器の異常もしくは水供給系統の何らかの異常と判断して、加湿容器５ａが基準水位に復帰するまで（ステップＳ１０：ＹＥＳ）、ステップＳ８で、加湿ヒータ制御手段７により加湿ヒータ５ｂへの通電を停止し、ステップＳ９で、水供給手段６により電磁ポンプ６ｂを連続駆動に切りかえて、給水運転を行う。
【００３２】
次に、ステップＳ１０において、水位検出センサ８ａにより加湿容器５ａの水位が基準水位を復帰しているか判断される。水位検出センサ８ａによって検出された加湿容器５ａの水位が基準水位に復帰していないと判断されると（ステップＳ１０：ＮＯ）、ステップＳ９に戻り、引き続き電磁ポンプ６ｂを連続駆動させ、ステップＳ１０で水位検出センサ８ａによって検出された加湿容器５ａの水位が基準水位に復帰したかどうか判断される。一方、水位検出センサ８ａにより加湿容器５ａの水位が基準水位に復帰したと判断されると（ステップＳ１０：ＹＥＳ）、湿度通常運転に戻り、ステップＳ４で、加湿ヒータ制御手段７により加湿ヒータ５ｂの通電が開始に切りかえられる。
【００３３】
以上のように、本実施の形態に係る環境試験器１の加湿回路制御装置８によると、加湿容器５ａ内の加湿水の残量により加湿ヒータ通電遅延時間を自動的に可変し、常に最適な加湿ヒータ通電遅延時間を設定できるようになる。よって、加湿ヒータ通電遅延時間の過多または過少による湿度制御開始の必要以上の遅れ、もしくは加湿ヒータの空焚きは起こらない。また、加湿容器５ａへの給水により、湿度変動または温度変動の乱れを懸念する必要がない場合、電磁ポンプ６ｂの連続駆動により加湿容器５ａの水位復帰を迅速に完了することができ、また加湿ヒータ５ｂへの通電を停止することで、空焚きによる加湿ヒータ５ｂの劣化を防止することができる。また、加湿容器への給水により、湿度変動及び温度変動を懸念する必要がある場合、小容量ポンプを間欠駆動することにより、加湿容器の温度を一定に保ちつつ給水するため、湿度変動及び温度変動を引き起こさず給水完了することができる。
【００３４】
また、湿度通常運転において、電磁ポンプ６ｂを連続駆動する場合は、図５に示すように、試験室内温度が設定値に対して＋０．６℃、−０．８℃、相対湿度が設定値に対して−９％Ｒ．Ｈという乱れが生じたのに対し、本実施の形態に係る環境試験器１の加湿回路制御装置８によると、湿度通常運転において、電磁ポンプ６ｂを間欠駆動とすることで、図４に示すように、試験室内温度が設定値に対して±０．１℃、相対湿度が設定値に対して＋１％Ｒ．Ｈという乱れに収まった。また、加湿容器５ａへの給水量が試験室内の制御に必要な蒸発量より上回っているため、電磁ポンプ６ｂの間欠動作による継続的な加湿容器５ａの水位低下は起こらないので、加湿ヒータ５ｂの空焚きは起こらない。
【００３５】
さらに、小容量ポンプとして電磁ポンプ６ｂを採用しており、一定間隔で、電磁ポンプのシリンダにより定められる一定の小容量の加湿水を供給することができる。また、電磁ポンプ６ｂのＯＮ／ＯＦＦ周期を変えることで、単位時間あたりの加湿水流量を自由に調整することができる。さらに、電磁ポンプ６ｂにより供給する単位時間あたりの加湿容器給水量は、加湿容器の単位時間あたりの最大蒸発量を上回るように制御しているため、間欠給水の制御を容易にすることができる。
【００３６】
なお、本発明に係る環境試験器の加湿回路制御装置は、前記実施例に限定されるものではなく、特許請求の範囲に記載した限りにおいて様々な設計変更が可能である。例えば、前記実施例において、加湿容器５ａと導入パイプ５ｃとを、一体の構造として構成してもよい。加湿容器５ａと導入パイプ５ｃとは、一体の構造とすることにより、給水された加湿水が導入パイプ５ｃ内で熱交換されることで、加湿容器５ａへ入る加湿水と加湿容器５ａ内の加湿水との温度差を小さくすることができる。
【００３７】
【発明の効果】
本発明に係る環境試験器の加湿回路制御装置及びその加湿回路制御方法によると、加湿容器の初期給水時には、加湿容器内の加湿水の残量により湿度制御を開始するまでの待ち時間（加湿ヒータ通電遅延時間）を自動可変し、常に最適な待ち時間を設定することができる。また、加湿容器の湿度制御運転時に加湿容器の水位が基準水位を下回った場合、小容量ポンプを間欠駆動し、水温を一定に保ちつつ、また温湿度の変動なく給水することができ、一定時間経過しても加湿容器の水位が基準水位に復帰しない場合は、基準水位に復帰するまで加湿ヒータへの通電を停止し小容量ポンプを連続駆動に切りかえることができ、加湿ヒータの空焚きを防止することが可能である。
【図面の簡単な説明】
【図１】本発明に係る環境試験器の加湿回路制御装置の一例を示したものであり、環境試験器の加湿回路制御装置の概略図である。
【図２】本発明に係る環境試験器の加湿回路制御装置で用いられる小容量ポンプの一例を示したものであり、電磁ポンプの縦断面図である。
【図３】加湿回路制御装置により加湿運転が行われるときの手順を示すフローチャートである。
【図４】湿度通常運転時に、電磁ポンプを間欠駆動させた場合の試験室内（槽内）の温度と湿度の変化を表すグラフである。
【図５】湿度通常運転時に、電磁ポンプを連続駆動させた場合の試験室内（槽内）の温度と湿度の変化を表すグラフである。
【符号の説明】
１  環境試験器
５ａ  加湿容器
５ｂ  加湿ヒータ
６  水供給手段
６ｂ  小容量ポンプ
７  加湿ヒータ制御手段
８  加湿回路制御装置
８ａ  水位検出センサ
【図１】
0003642761.tif 000002
【図２】
0003642761.tif 000003
【図３】
0003642761.tif 000004
【図４】
0003642761.tif 000005
【図５】
0003642761.tif 000006